(57)【要約】【課題】小型の園芸容器でも安定した設置が可能で、外観が大型化された園芸容器の場合、土壌を媒体とする病害などが広がるのを防止するとともに、並び替えや取り替え作業を容易とする。【解決手段】容器本体１０の上面が開放された開口１８になっており、この開口の周囲が外方へ張り出した縁部２０になっている園芸容器であって、容器本体１０が、その縁部２０に沿って凹部２６と凸部２７とを繰り返す形状の連結手段２４を備えている。この連結手段２４は、容器本体１０同士を前後左右方向への相対的な動きを規制した状態に連結することが可能で、かつ、上下方向への相対的な動きによって連結が外れるように構成されている。【選択図】図１
2015181471.tif 000002
【特許請求の範囲】
【請求項１】
容器本体の上面が開放された開口になっており、この開口の周囲が外方へ張り出した縁部になっている園芸容器であって、
容器本体が、その縁部に沿って凹部と凸部とを繰り返す形状の連結手段を備え、この連結手段は、容器本体同士を前後左右方向への相対的な動きを規制した状態に連結することが可能で、かつ、上下方向への相対的な動きによって連結が外れるように構成されている園芸容器。
【請求項２】
請求項１に記載された園芸容器であって、
容器本体の開口が矩形状であり、矩形の相対向する辺に相当する縁部の連結手段は、相互の凹部と凸部との並び順が逆に設定されている園芸容器。
【発明の詳細な説明】
【技術分野】
【０００１】
本発明は、植木や草花などの植物を栽培あるいは展示するためのプランターや植木鉢などの園芸容器に関する。
【背景技術】
【０００２】
例えば特許文献１に開示された技術では、切り花等を入れる容器と、この容器に組み合わせることが可能な枠体とを備えている。容器に枠体を組み合わせることで、容器だけを使用したときよりも長い切り花を入れることができる。
【０００３】
一方、園芸容器においては、対象となる植物の大きさや容器の設置スペースに基づき、そのサイズを選択している。なお、歩道などに沿って植物を展示する場合には、複数個の容器を並べて設置している。
【先行技術文献】
【特許文献】
【０００４】
【特許文献１】特開２０１０−０６４７９６号公報
【発明の概要】
【発明が解決しようとする課題】
【０００５】
園芸容器において、小型の容器は設置状態が安定せず、風などで倒されることがある。これに対して大型の容器は、設置状態が安定しているものの、土壌を媒体とする病害などが容器全体に広がるおそれがあり、かつ、容器の並び替えや取り替え作業が困難である。
【０００６】
本発明は、このような課題を解決しようとするもので、その目的は、小型の園芸容器でも安定した設置が可能で、外観が大型化された園芸容器の場合、土壌を媒体とする病害などが広がるのを防止するとともに、並び替えや取り替え作業を容易とすることである。
【課題を解決するための手段】
【０００７】
本発明は、上記の目的を達成するためのもので、以下のように構成されている。
【０００８】
容器本体の上面が開放された開口になっており、この開口の周囲が外方へ張り出した縁部になっている園芸容器であって、容器本体が、その縁部に沿って凹部と凸部とを繰り返す形状の連結手段を備えている。この連結手段は、容器本体同士を前後左右方向への相対的な動きを規制した状態に連結することが可能で、かつ、上下方向への相対的な動きによって連結が外れるように構成されている。
【０００９】
より好ましくは、容器本体の開口が矩形状であり、矩形の相対向する辺に相当する縁部の連結手段は、相互の凹部と凸部との並び順が逆に設定されていることである。
【発明の効果】
【００１０】
本発明においては、容器本体同士を前後左右方向の相対的な動きを規制した状態に連結できる連結手段を備えていることにより、複数個の容器本体を連結した状態では、個々の容器本体の設置状態が安定する。そして、連結された各容器本体の外観は一つの大型容器に見えるものの、各容器本体の中は個々に隔離されているので、土壌を媒体とする病害などが広がるのを防止できる。しかも、連結された容器本体同士は上下方向への相対的な動きによって連結が外れることにより、どの連結箇所にある容器本体であっても、それを持ち上げれば他の容器本体との連結が外れる。このため、容器本体の並び替えや取り替え作業が容易となる。
【００１１】
また、容器本体における開口の相対向する辺に相当する縁部では、個々の連結手段の凹部と凸部との並び順が逆に設定されていることにより、容器本体同士の縁部を、凹部と凸部との並び順が逆になっている連結手段で連結すれば、容器本体同士を互いにずらすことなく、整列状態で連結することができる。
【図面の簡単な説明】
【００１２】
【図１】一つの園芸容器を表した斜視図。
【図２】一つの園芸容器を表した平面図。
【図３】一つの園芸容器を表した正面図。
【図４】一つの園芸容器を表した側面図。
【図５】連結された複数個の園芸容器を表した斜視図。
【図６】連結された複数個の園芸容器を表した平面図。
【図７】連結された複数個の園芸容器を表した正面図。
【図８】連結された複数個の園芸容器を表した側面図。
【図９】容器同士の連結手段を拡大して表した斜視図。
【図１０】園芸容器の連結状態の変更例を表した平面図。
【図１１】容器同士の連結手段における形状の変更例を表した平面図。
【発明を実施するための形態】
【００１３】
以下、本発明を実施するための形態を、図面を用いて説明する。この実施例における園芸容器は一般にプランターと称されるもので、容器本体１０は樹脂による一体成形品である。容器本体１０は、側壁１２と底板１４とを有する直方体のボックス形状であって、その上面は開放された開口１８になっている。側壁１２は、底板１４から開口１８に向かって広がるように傾斜している。容器本体１０の内部における底板１４は、その周囲が浅く、中央が深くなった段差を有する形状になっている。この中央の深い部分には、容器本体１０とは別体の受け皿（図示省略）が組み込まれる。
【００１４】
開口１８の周囲は、外方へ張り出した縁部２０になっている。また、縁部２０の外周部には、上方へ突出した補強リブ２２が設けられている。これらの縁部２０および補強リブ２２は、開口１８の周囲に沿って連続している。これにより、容器本体１０における開口１８の近くの側壁１２が補強されている。
【００１５】
容器本体１０は、その縁部２０に構成された連結手段２４を備えている。この連結手段２４は、複数個の容器本体１０を互いに連結するためのもので、つぎのように構成されている。連結手段２４は、容器本体１０を平面で見たときに、縁部２０の外周から内側へ湾曲状に入り込んだ形状の凹部２６と、縁部２０の本来の形状が残された形状の凸部２７とが縁部２０に沿って交互に繰り返す構造になっている。そして、補強リブ２２は、これらの凹部２６および凸部２７の形状に倣って連続している。
【００１６】
容器本体１０同士における連結手段２４の凹部２６と凸部２７とは、図９で示すように互いに上下方向から嵌め合わせることができる。つまり、これら凹部２６と凸部２７との平面形状は、ほぼ台形になっている。したがって、これらの凹部２６と凸部２７とを嵌め合わせることにより、容器本体１０同士は前後左右方向への相対的な動きが規制された状態に連結される。この連結は、容器本体１０同士の上下方向への相対的な動きによって外すことができる。
【００１７】
容器本体１０を平面で見たときに、開口１８およびその縁部２０は矩形状（長方形状）である。この長方形の相対向する長辺あるいは短辺に相当する縁部２０の連結手段２４については、相互の凹部２６と凸部２７との並び順が逆に設定されている。すなわち、一方の辺の連結手段２４で凹部２６の箇所は、他方の辺の連結手段２４では凸部２７となっている。このため、例えば二つの容器本体１０における長辺同士、あるいは短辺同士を連結するときに、互いの凹部２６と凸部２７との並び順が逆の連結手段２４を利用することにより、これらの容器本体１０同士をずらすことなく、連結することができる。
【００１８】
複数個の容器本体１０を、それぞれの連結手段２４によって相互にずらすことなく連結することで、例えば図５〜図８で示すように複数個（４個）の容器本体１０を縦横に二個ずつ並べた状態で一体化させることができる。この結果、個々の容器本体１０を安定した設置状態で使用できる。また、連結された複数個の容器本体１０は、一つの大型容器に見え、植物を栽培したときの外観に高級感がでる。その一方で、各容器本体１０の中は個々に隔離されているので、土壌を媒体とする病害などが全体に広がることは防止される。
【００１９】
連結された容器本体１０は、前述のように上下方向への相対的な動きによって互いの連結手段２４の連結を外すことができる。このため、連結された複数個の容器本体１０のうち、任意の容器本体１０を持ち上げることで、隣り合う容器本体１０との連結を外して他の容器本体１０と取り替えたり、別の場所に並び替えたりすることができる。
【００２０】
複数個の容器本体１０を連結するパターンとしては、歩道などに沿って図１０（Ａ）で示すように一直線に並べ、あるいは図１０（Ｂ）で示すように直角に曲げて並べることも可能である。また、例えば二つの容器本体１０における長辺同士、あるいは短辺同士を連結するときに、互いの凹部２６と凸部２７との並び順が同じ連結手段２４を敢えて利用することにより、容器本体１０同士をずらせた状態で連結することも可能である。
【００２１】
連結手段２４の凹部２６と凸部２７との平面形状については、図１１（Ａ）で示すような円弧形状や図１１（Ｂ）で示すような「Ｔ」字形状に代えることも可能である。いずれにしても、凹部２６と凸部２７とを嵌め合わせることで、容器本体１０同士を前後左右方向への相対的な動きが規制された状態に連結でき、かつ、容器本体１０同士の上下方向への相対的な動きによって連結が外れる形状であればよい。
【符号の説明】
【００２２】
１０ 容器本体
１８ 開口
２０ 縁部
２４ 連結手段
【図１】
2015181471.tif 000003
【図２】
2015181471.tif 000004
【図３】
2015181471.tif 000005
【図４】
2015181471.tif 000006
【図５】
2015181471.tif 000007
【図６】
2015181471.tif 000008
【図７】
2015181471.tif 000009
【図８】
2015181471.tif 000010
【図９】
2015181471.tif 000011
【図１０】
2015181471.tif 000012
【図１１】
2015181471.tif 000013